(57)【特許請求の範囲】
【請求項１】
四角形の一辺に切り欠き部を有したコの字形の鉄製の平板と、該鉄製の平板の切り欠き部に置かれたゴルフボールを挟んで該鉄製の平板の上に磁石を底部に接着剤で付けて脱着可能に取り付けられている２本のピンと、からなる簡易形ゴルフパターパッティング練習装置において、鉄製の平板がパイプと差込棒により、組み立てられ、かつ、２つに分解できることを特徴とする簡易形ゴルフパターパッティング練習装置。
【発明の詳細な説明】
【技術分野】
【０００１】  本発明は、四角形の一辺に切り欠き部を有する鉄製の平板と、その上に磁石を底部に付けて着脱可能に取り付けられたピンとからなる簡易形ゴルフパターパッティング練習装置に関する。
【背景技術】
【０００２】  従来の一般的なゴルフパターパッティング練習装置は概略幅１ｍ〜３ｍ奥行０．５ｍ〜２ｍの長方形をしており、練習装置上面の幅方向には傾斜を付け、傾斜を登り切ったところには平坦部とパッティングされたボールが入るためのカップ（穴）とを設け、傾斜が始まる部分の手前にはパッティング前のゴルフボールを置くための平坦部を設け、上面全体には芝生を模した緑色の布もしくは人工芝で覆われている。【０００３】  更に、これらの改良形として、パッティングの際のゴルフパターヘッドの経路に沿って、複数のピンから成る二列の平行のガイドラインを設け、ピンが倒れたか否かでパッティングの経路のチェックができる練習装置もある（特許文献１、２、３参照）。
【先行技術文献】
【特許文献】
【０００４】
【特許文献１】  特表２００９−５０８６２４号  公報
【特許文献２】  特開２００８−２９５９１１号  公報
【特許文献３】  実開昭５２−１２７５７２号    公報
【発明の概要】
【発明が解決しようとする課題】
【０００５】  以上述べた従来のゴルフパターパッティング練習装置は、概略長方形で嵩張り、分解組み立てができず、持ち運びには不便であり、庭やゴルフ場などの屋外での練習には不適であった。また、あくまでも布もしくは人工芝の上でのパッティング練習であり、実際の芝生の上での練習にはなっていなかった。【０００６】  本発明は、このような従来のゴルフパターパッティング練習装置が有する問題点を解決しようとするものであり、小型軽量で持ち運びが容易で、屋外の芝生の上でのパッティング練習を可能とすることを目的とするものである。
【課題を解決するための手段】
【０００７】  本発明は上記の目的を達成するために、ゴルフボールを囲み四角形の一辺に切り欠き部を有する鉄製の平板と、底部に磁石を付け着脱可能に取り付けられたピンとからなるゴルフパターパッティング練習装置を提案するものである。【０００８】  鉄製の平板は、厚さ１ｍｍ〜３ｍｍの薄い板でできており、一枚物か、複数の小平板に分割しそれぞれを蝶番や差込を用いて接続させた組立物からできている。組立物は使用後、折り畳んだり分解して容易に持ち運びすることができる。【０００９】  また、四角形の一辺に切り欠き部を有する鉄製の平板は、切り欠き部にゴルフボールを置くことで、ゴルフボールの周囲三方向を鉄製の平板で囲み、パッティングされゴルフボールが打ち出される方向のみ鉄製の平板が無いように設置できる。【００１０】  ピンは底部に磁石が付いているので鉄製の平板の上のどこにでも着脱可能に取り付けることができ、鉄製の平板の切り欠き部に置かれたゴルフボールを挟んで対向する位置に、ゴルフパターヘッドの長軸方向の長さよりも長い幅で、２本もしくは２本以上設置し、その対向するピン間を、ゴルフパターヘッドがピンを倒さずに通過できるか否かで、ゴルフパターパッティング時のスイングチェックができる。
【発明の効果】
【００１１】  上述したように本発明のゴルフパターパッティング練習装置は、室内はもとより、軽量、コンパクトであるため持ち運びが容易で、室外でも練習でき、スイングできるところであれば場所を選ばない。特に、庭などの芝生の上に持って行けば、ゴルフボールを芝の上に置いて練習できるので、ゴルフ場と同じ環境下での練習に最適である。
【図面の簡単な説明】
【００１２】
【図１】  本発明の実施形態を示すゴルフパターパッティング練習装置（一枚物）の斜視図
【図２】  同ゴルフパターパッティング練習装置の平面図
【図３】  本発明の実施形態を示す蝶番を用いて組み立てたゴルフパターパッティング練習装置（組立物）の折り畳み図
【図４】  同蝶番を用いて組み立てたゴルフパターパッティング練習装置の斜視図
【図５】  同蝶番を用いて組み立てたゴルフパターパッティング練習装置の平面図
【図６】  本発明の実施形態を示す差込を用いたゴルフパターパッティング練習装置（組立物）を分解して重ね合わせた図
【図７】  同差込を用いて接続したゴルフパターパッティング練習装置の斜視図
【図８】  同差込を用いて接続したゴルフパターパッティング練習装置の平面図
【図９】  同差込を用いて接続したゴルフパターパッティング練習装置の差込部の拡大図
【図１０】  ピンの構成を示す図
【図１１】  本発明の実施形態を示す複数のピンを設置したゴルフパターパッティング練習装置（一枚物）の平面図
【図１２】  本発明の実施形態を示す切り欠き部がＵ字形で一枚物の平板が円板のゴルフパターパッティング練習装置の平面図
【図１３】  本発明の実施形態を示す切り欠き部が５角形（ホームベースの形）で一枚物の平板が６角形（多角形）のゴルフパターパッティング練習装置の平面図
【発明を実施するための形態】
【実施例】
【００１３】  以下、本発明の実施の形態を図１〜図１３に基づいて説明する。【００１４】  四角形の一辺に切り欠き部を有する鉄製の平板１が一枚の薄い板でコの字形をしている（この時の切り欠き部の形状は四角形である）場合を図１、図２に示す。鉄製の平板１は、外形が厚さ１ｍｍ縦２００ｍｍ横２７０ｍｍの長方形で、図２に示したように長方形の左側の一辺から中央部分にかけて縦７０ｍｍ横２００ｍｍの切り欠き部１１を持った形状である。切り欠き部１１にゴルフボール４を置くことにより、ゴルフボール４の周囲三方向を鉄製の平板１が囲み、パッティングされゴルフボール４が打ち出される方向のみ鉄製の平板１が無い状態となる。
なお、鉄製の平板１の形状は、外縁部にゴルフボール４を打ち出すための切り欠き部を持っていれば、四角形以外の多角形や円板であってもよい。
また、切り欠き部１１の形状も、四角形以外のＶ字形、Ｕ字形、５角形（野球におけるホームベースの形）であってもよい。
ピン２は、樹脂製または木製の直径１０ｍｍ高さ４０ｍｍの円柱であり、図１０に示すように、その底部には直径１０ｍｍ高さ２ｍｍの円柱の磁石３が接着剤または両面粘着テープで取り付けられているため、鉄製の平板１の上のどこにでも着脱可能に取り付けることができ、鉄製の平板１の切り欠き部１１に置かれたゴルフボール４を挟んで対向する位置に、ゴルフパターヘッドの長軸方向の長さよりも長い間隔で、２本もしくは２本以上（図１１参照）設置すると、パッティングした時にゴルフパターヘッドがピン２に接触もしくは倒れるか否かで、スイングチェックできる。更に、鉄製の平板１の上には全面にわたり縦横に直交する平行線が１０ｍｍ間隔の目盛として刻まれているので、ピン２の位置を移動させたりピン間距離を測る際に利用でき、スイングチェックの際に役立つ。【００１５】  上述のコの字形の鉄製の平板１を一枚物ではなく、複数の小平板に分割し、それぞれを蝶番（図３，図４，図５）や差込（図６，図７，図８，図９）を用いて組立物とした場合の実施例を以下に説明する。【００１６】  図３に示した鉄製の小平板６ａと小平板６ｂは、図１，図２で説明した鉄製の平板１を二分割したＬ字形であり、図３，図４，図５のように市販の蝶番５を介して小平板６ａと６ｂをねじ止め９にて接続し組み立てて、コの字形の鉄製の平板６とし、簡易形ゴルフパターパッティング練習装置として使用する。使用後は図３に示したように畳み込めるので持ち運びに便利である。【００１７】  図９に示した鉄製の小平板８ａと小平板８ｂは、図１，図２で説明した鉄製の平板１を二分割したＬ字形であるが、蝶番で接続した図３と異なる点は、小平板８ａに外径６ｍｍ内径３ｍｍ長さ４０ｍｍで一端に切り込み部１０を持つパイプを二か所で溶接し固定したパイプ７ａに、小平板８ｂに直径２ｍｍ長さ４０ｍｍの棒を一か所で溶接し固定した差込棒７ｂを、差し込んで接続し組み立てている点である。図６，図７，図８のようにパイプ７ａと差込棒７ｂを介して小平板８ａと小平板８ｂを差込で接続し組み立て、コの字形の鉄製の平板８とし、簡易形ゴルフパターパッティング練習装置として使用する。使用後は図９のように分解できるので持ち運びに便利である。なお、図９の差込部７はパイプ７ａと差込棒７ｂと切り込み部１０から成り、パイプ７ａの一端には、差込棒７ｂを差し込み挿入した時に差込棒７ｂが所定の位置で止まるように切り込み部１０が設けられている。【００１８】  更に、図１１に示すように鉄製の平板１の上には、２本以上のピンを立てることも可能である。これによりゴルフパターパッティング時のスイングチェックが２本の時よりも長範囲にわたり実施できる。また、一枚物のゴルフパターパッティング練習装置において図１２に左側の円周部から中央部分にかけて縦７０ｍｍ横２００ｍｍのＵ字形の切り欠き部１１を持ち、平板が厚さ１ｍｍ直径３００ｍｍの円板である実施例の平面図を、図１３に左側の一辺から中央部分にかけて縦７０ｍｍ横１７０ｍｍ右端がＶ字形（５角形のホームベースの形）の切り欠き部１１を持ち、平板が６角形（多角形）の実施例の平面図を、それぞれ示す。【００１９】  本発明は、小型軽量で持ち運びが容易であるため、実際のゴルフ場��パター練習グリーンや庭または公園などの屋外の芝生の上でのパッティング練習が可能となる。
【符号の説明】
【００２０】１    鉄製の平板
２    ピン
３    磁石
４    ゴルフボール
５    蝶番
６    蝶番を用いて接続し組み立てたコの字形の鉄製の平板
６ａ  Ｌ字形鉄製小平板
６ｂ  Ｌ字形鉄製小平板
７    差込部
７ａ  パイプ
７ｂ  差込棒
８    差込を用いて接続し組み立てたコの字形の鉄製の平板
８ａ  Ｌ字形鉄製小平板
８ｂ  Ｌ字形鉄製小平板
９    ねじ止め
１０  切り込み部
１１  切り欠き部
【要約】
【課題】  従来のゴルフパターパッティング練習装置は、概略長方形で嵩張り、分解組み立てができず、持ち運びには不便であり、庭やゴルフ場などの屋外での練習には不適であった。また、あくまでも布もしくは人工芝の上でのパッティング練習であり、実際の芝生の上での練習ではなかった。
【解決手段】  四角形の一辺に切り欠き部を有する厚さ１ｍｍ〜３ｍｍの薄い鉄製の平板と、切り欠き部に置かれたゴルフボールを挟んで対向する鉄製の平板の上に、底部に磁石を付け着脱可能に取り付けられたピンを置くことで、ゴルフパターパッティング時のスイングチェックができるようにするとともに、軽量なので持ち運びが容易で屋外の芝生の上でも練習できるようにしたゴルフパターパッティング練習装置。
【選択図】図１【図１】
0006008338.tif 000002
【図２】
0006008338.tif 000003
【図３】
0006008338.tif 000004
【図４】
0006008338.tif 000005
【図５】
0006008338.tif 000006
【図６】
0006008338.tif 000007
【図７】
0006008338.tif 000008
【図８】
0006008338.tif 000009
【図９】
0006008338.tif 000010
【図１０】
0006008338.tif 000011
【図１１】
0006008338.tif 000012
【図１２】
0006008338.tif 000013
【図１３】
0006008338.tif 000014